(57)【要約】【課題】従来品（軽質炭酸カルシウム）と同等以上のゴムの補強性を持ち、安価なゴム配合物用充填剤を提供する。【解決手段】本発明は、従来品と同等以上のゴム補強効果を有する、カルシウム酸化物、カルシウム硫酸塩から選択される１以上を含む新規のゴム配合物用充填剤に関する。【選択図】なし【特許請求の範囲】
【請求項１】
カルシウム酸化物、カルシウム硫酸塩から選択される1以上を含むことを特徴とするゴム配合物用充填剤。
【請求項２】
前記カルシウム酸化物が、酸化カルシウムであることを特徴とする請求項１に記載のゴム配合物用充填剤。
【請求項３】
前記カルシウム硫酸塩が、硫酸カルシウム無水物および硫酸カルシウム０．５水和物から選択される１以上を含み、より好ましくは硫酸カルシウム無水物であることを特徴とする請求項１または２に記載のゴム配合物用充填剤。
【請求項４】
前記カルシウム酸化物およびカルシウム硫酸塩が、廃棄物、又は、当該廃棄物の焼成物に含まれることを特徴とする、請求項１〜３のいずれかに記載のゴム配合物用充填剤。
【請求項５】
前記廃棄物が、排水処理汚泥、製紙汚泥、ゴムくず、貝殻、卵殻、獣骨、魚骨、排煙脱硫石膏、廃石膏、都市ごみ、紙おむつ、木くず、竹くず、もみ殻、コーヒー粕、廃菌床、パーム殻、食品残渣、コーンコブ、およびそれらの脱水品または加水品から選択される１以上を含むことを特徴とする請求項４に記載のゴム配合物用充填剤。
【請求項６】
前記焼成物が、流動層炉、流動床炉、ストーカー炉、ガス化溶融炉、ロータリーキルン炉、及び、固定床炉から選択される焼却設備で得られた灰であることを特徴とする請求項４または５に記載のゴム配合物用充填剤。
【請求項７】
前記焼却設備で得られた灰が、流動層ボイラーばいじんであることを特徴とする請求項６に記載のゴム配合物用充填剤。
【発明の詳細な説明】
【技術分野】
【０００１】
本発明は、従来品（軽質炭酸カルシウム）と同等以上のゴムの補強性を持ち、かつ安価なゴム配合物用充填剤に関する。
【背景技術】
【０００２】
ゴム配合物用充填剤として、カーボンブラック、シリカ、炭酸カルシウム等が使われているが、ゴムの性能を高めるだけでなく、よりコストを下げることのできる充填剤が求められている。
【０００３】
特許文献１には、以下の工程から得られる造粒灰を用いた、ゴム配合物用充填剤が開示されている。
（１）汚泥、廃油、プラスチックくず、塗料かすを主成分とする産業廃棄物と石炭とを２：１の比率で混合焼成させて、バグフィルターで回収した焼成灰を得る。
（２）前記焼成灰を４０μｍ以下に分級する。
（３）得られた分級灰を平均粒径５００μｍに造粒する。
【０００４】
特許文献１に記載の技術において、燃焼灰の化合物形態は開示されていないが、主成分は珪素化合物とアルミニウム化合物であり、得られるゴム配合物用充填剤によるゴム配合物の補強効果はあまり得られなかった。
【０００５】
また、特許文献２には、石炭灰から得られる分級灰（１６μｍ）又は粉砕灰（２．４μｍ）を用いたゴム用充填剤が開示されている。
【０００６】
特許文献２に記載の技術では、石炭灰のみを使用しており、分級石炭灰（平均粒径１６μｍ）によるゴム配合物の補強効果はあまり得られなかった。石炭灰を平均粒径２．４μｍに粉砕しても、軽質炭酸カルシウムと比べて６ポイントしか硬度が向上しなかった。
【先行技術文献】
【特許文献】
【０００７】
【特許文献１】特開平４−５５４４４号公報
【特許文献２】特開昭５９−１８９１４４号公報
【発明の概要】
【発明が解決しようとする課題】
【０００８】
本発明は、ゴム配合物用充填剤として広く使われている炭酸カルシウムと同等以上のゴムの補強性を持ち、かつ安価なゴム配合物用充填剤を提供することを目的とする。さらに本発明は、廃棄物またはその燃焼物をゴム配合物用充填剤の主成分とすることにより、天然資源使用量の削減、および、最終処分場の延命に貢献するゴム配合物用充填剤を提供することを目的とする。
【課題を解決するための手段】
【０００９】
本発明者は、上記課題を解決すべく、カルシウム酸化物およびカルシウム硫酸塩に、従来品（軽質炭酸カルシウム）と同等以上のゴムの補強性を見出した。さらに、カルシウム酸化物およびカルシウム硫酸塩を含む素材として、廃棄物およびその燃焼物を利用できることを見出し、本発明を完成させるに至った。
【００１０】
すなわち、本発明のゴム配合物用充填剤は、カルシウム酸化物、カルシウム硫酸塩から選択される１以上を含むことを特徴とする。
【００１１】
前記カルシウム酸化物は、酸化カルシウムであることが好ましい。
【００１２】
前記カルシウム硫酸塩は、硫酸カルシウム無水物または硫酸カルシウム０．５水和物であることが好ましく、硫酸カルシウム無水物であることがより好ましい。
【００１３】
また、本発明のゴム配合物用充填剤は、前記カルシウム酸化物およびカルシウム硫酸塩が、廃棄物または当該廃棄物の焼成物であることを特徴とする。
【００１４】
前記廃棄物は、排水処理汚泥、製紙汚泥、ゴムくず、貝殻、卵殻、獣骨、魚骨、排煙脱硫石膏、廃石膏、都市ごみ、紙おむつ、木くず、竹くず、もみ殻、コーヒー粕、廃菌床、パーム殻、食品残渣、コーンコブ、およびそれらの脱水品または加水品から選択される１以上を含むことを特徴とする。
【００１５】
前記焼成物は、流動層炉、流動床炉、ストーカー炉、ガス化溶融炉、ロータリーキルン炉、及び、固定床炉から選択される焼却設備で得られた灰であることが好ましく、流動層ボイラーばいじんが特に好ましい。
【発明の効果】
【００１６】
本発明によれば、従来品（軽質炭酸カルシウム）と同等以上のゴムの補強性を持つゴム配合物用充填剤を提供することができる。また、本願ゴム配合物用充填剤に含まれるカルシウム酸化物およびカルシウム硫酸塩として、廃棄物又はその焼成物を利用するため、ゴム配合物用充填剤を安価で提供することができる。これにより、天然資源使用量の削減、および、最終処分場の延命に貢献することができる。
【図面の簡単な説明】
【００１７】
【図１】ボイラーばいじんＡとボイラーばいじんＢのXRDの結果を示した図
【発明を実施するための形態】
【実施例】
【００１８】
〔酸化カルシウム、硫酸カルシウム無水物および軽質炭酸カルシウムによるゴム補強性（硬度）への効果の比較〕
ゴム配合物の作成方法
表１に示す配合率を用いてロールで混練し、金型に入れて１６０℃で加硫し、ゴム配合物を作成した。
【００１９】
（実施例１から４）
ゴム配合物の作成において、ゴム配合物用充填剤として、従来品の軽質炭酸カルシウムを用いたゴム配合物を比較例１とした。同様に、酸化カルシウム、硫酸カルシウム無水物および硫酸カルシウム水和物を用いたゴム配合物を実施例１から４とした。
【００２０】
得られたゴム配合物の硬度を硬度計により測定し、その結果を表１に示した。
【００２１】
【表１】
2017218549.tif 000002
【００２２】
表１に示す通り、酸化カルシウム及び硫酸カルシウムは、従来品（軽質炭酸カルシウム）に比べ、ゴムの補強効果が高かった（実施例１および２）。また、硫酸カルシウム０．５水和物の効果は、従来品と同程度であった（実施例３）。
【００２３】
〔ボイラーばいじんの分析〕
タイヤ、製紙汚泥、バークを燃焼して得られた灰をサイクロンで分級した。得られた微粉を更に篩で分級し、７４μｍパス品（平均粒径１９μｍ：ＳＡＬＤ−２０００Ｊ（島津製作所製）による分析）をボイラーばいじんＡとした。
【００２４】
木くずと石炭を燃焼して得られた灰をサイクロンで分級した。得られた微粉を更に篩で分級し、７４μｍパス品（平均粒径２１μｍ：ＳＡＬＤ−２０００Ｊ（島津製作所製）による分析））をボイラーばいじんＢとした。
【００２５】
蛍光X線分析装置ＥＤＸ−８００ＨＳ（島津製作所製）を用いて、ボイラーばいじんＡ、およびボイラーばいじんＢの成分分析を行った。
【００２６】
ボイラーばいじんＡおよびボイラーばいじんＢのカルシウム含有率は、CaO換算値でそれぞれ４６．０％および１１．２％であった。
【００２７】
高出力Ｘ線回析装置ＲＩＮＴ−ＴＴＲ（リガク製）による、ボイラーばいじんＡとボイラーばいじんＢのＸＲＤ分析結果を図１に示した。図１に示す通り、ボイラーばいじんＡは、酸化カルシウムおよび硫酸カルシウム無水物を含んでいた。ボイラーばいじんＢは、硫酸カルシウム無水物を含むものの、酸化カルシウムを含んでいなかった。
【００２８】
〔ボイラーばいじんＡおよびボイラーばいじんＢによるゴム補強性（硬度）への効果の比較〕
ゴム配合物の作成方法
表２に示す配合率を用いてロールで混練し、金型に入れて１６０℃で加硫し、ゴム配合物を作成した。
【００２９】
（実施例５と６）
ゴム配合物の作成において、ゴム配合物用充填剤として、従来品の軽質炭酸カルシウムを用いたゴム配合物を比較例１とした。同様に、ボイラーばいじんＡおよびボイラーばいじんＢを用いたゴム配合物を実施例５および６とした。
【００３０】
得られたゴム配合物の硬度を硬度計により測定し、その結果を表２に示した。
【００３１】
【表２】
2017218549.tif 000003
【００３２】
上記の結果から明らかなように、充填剤としてボイラーばいじんＡを配合したゴム配合物は、従来品よりも硬度が高かった。また、ボイラーばいじんＢを配合したゴム配合物の硬度は従来品と同程度であった。
このことは、ボイラーばいじんＡに含まれるカルシウム酸化物の量が、ボイラーばいじんＢに含まれるカルシウム酸化物の量よりも多いことによるものである。
【００３３】
ここで、配合物用充填剤を下記のような目的及び方法で、表面改質する場合がある。これらの改質を行った場合であっても、上述のように充填剤の成分が同一であるならば、本発明の権利範囲に該当し得る。
【００３４】
すなわち、表面改質の目的としては、二次凝集の防止、マトリックスとの濡れ性の向上、異種の機能性を付与すること、微量有害元素のマスキングを行う、低吸油量化、コンパウンドの機械的強度・耐水・耐油・対候性・耐薬品・表面光沢の向上、結晶粒子の成長抑制、ｐＨの調整、金属粉末の酸化防止、流動性の改良、フィラー表面の保護が一例としてあげられる。
【００３５】
また、表面改質の方法としては、脂肪酸、ワックス、非イオン系界面活性剤などを使用したコーティングによる改質、シラン系、チタネート系、リン酸系のカップリング剤などを使用したトポケミカルな改質、粉砕・摩砕による未反応表面の反応促進などのメカノケミカルな改質、メカノフュージョン法、高速気流中衝撃法などによるカプセル化による改質、コロナ放電、高周波放電、グロー放電によって得られるプラズマを使用した高エネルギーによる改質、水溶性のアルミニウム塩、ケイ酸塩、チタン塩等を添加して中和する沈殿反応による改質が一例としてあげられる。
【産業上の利用可能性】
【００３６】
以上記載したごとく、本発明によれば、カルシウム酸化物、カルシウム硫酸塩から選択される１以上を含むことを特徴とするゴム配合物用充填剤を利用することができる。また、本願ゴム配合物用充填剤として、廃棄物又は当該廃棄物の焼成物を利用することができる。これにより、ゴム配合物用充填剤を安価で提供することが可能になり、さらに、天然資源使用量の削減、および、最終処分場の延命に貢献することができる。
【符号の説明】
【００３７】
ａ１およびａ２  ：  硫酸カルシウム無水物の主なピーク
ｂ１  ：  ＣａＯの主なピーク
【図１】
2017218549.tif 000004
【手続補正書】
【提出日】平成28年12月12日(2016.12.12)
【手続補正１】
【補正対象書類名】特許請求の範囲
【補正対象項目名】全文
【補正方法】変更
【補正の内容】
【特許請求の範囲】
【請求項１】
廃棄物の焼成物及び、廃棄物の水和水除去物に含まれる、カルシウム酸化物、カルシウム硫酸塩から選択される１以上を含むことを特徴とするゴム配合物用充填剤。
【請求項２】
前記カルシウム酸化物が、酸化カルシウムであることを特徴とする請求項１に記載のゴム配合物用充填剤。
【請求項３】
前記カルシウム硫酸塩が、硫酸カルシウム無水物であることを特徴とする請求項１に記載のゴム配合物用充填剤。
【請求項４】
前記廃棄物が、排水処理汚泥、製紙汚泥、ゴムくず、貝殻、卵殻、獣骨、魚骨、排煙脱硫石膏、廃石膏、都市ごみ、紙おむつ、木くず、竹くず、もみ殻、コーヒー粕、廃菌床、パーム殻、食品残澄、コーンコブ、およびそれらの脱水品または加水品から選択される1以上を含むことを特徴とする請求項１に記載のゴム配合物用充填剤。
【請求項５】
前記焼成物が、流動層炉、流動床炉、ストーカー炉、ガス化溶融炉、ロータリーキルン炉、及び、固定床炉から選択される焼却設備で得られた灰であることを特徴とする請求項１に記載のゴム配合物用充填剤。
【請求項６】
前記焼却設備で得られた灰が、流動層ボイラーばいじんであることを特徴とする請求項５に記載のゴム配合物用充填剤。
【手続補正２】
【補正対象書類名】明細書
【補正対象項目名】００１０
【補正方法】変更
【補正の内容】
【００１０】
すなわち、本発明のゴム配合物用充填剤は、廃棄物の焼成物及び、廃棄物の水和水除去物に含まれる、カルシウム酸化物、カルシウム硫酸塩から選択される１以上を含むことを特徴とする。
【手続補正３】
【補正対象書類名】明細書
【補正対象項目名】００１１
【補正方法】変更
【補正の内容】
【００１１】
前記カルシウム酸化物は、酸化カルシウムであることを特徴とする。
【手続補正４】
【補正対象書類名】明細書
【補正対象項目名】００１２
【補正方法】変更
【補正の内容】
【００１２】
前記カルシウム硫酸塩が、硫酸カルシウム無水物であることを特徴とする。
【手続補正５】
【補正対象書類名】明細書
【補正対象項目名】００１３
【補正方法】削除
【補正の内容】
【手続補正書】
【提出日】平成29年3月17日(2017.3.17)
【手続補正１】
【補正対象書類名】特許請求の範囲
【補正対象項目名】全文
【補正方法】変更
【補正の内容】
【特許請求の範囲】
【請求項１】
廃棄物の焼成物及び、廃棄物の水和水除去物に含まれる、カルシウム硫酸塩を含むことを特徴とするゴム配合物用充填剤。
【請求項２】
前記カルシウム硫酸塩が、硫酸カルシウム無水物であることを特徴とする請求項１に記載のゴム配合物用充填剤。
【請求項３】
前記廃棄物が、排水処理汚泥、製紙汚泥、ゴムくず、貝殻、卵殻、獣骨、魚骨、排煙脱硫石膏、廃石膏、都市ごみ、紙おむつ、木くず、竹くず、もみ殻、コーヒー粕、廃菌床、パーム殻、食品残澄、コーンコブ、およびそれらの脱水品または加水品から選択される1以上を含むことを特徴とする請求項１に記載のゴム配合物用充填剤。
【請求項４】
前記焼成物が、流動層炉、流動床炉、ストーカー炉、ガス化溶融炉、ロータリーキルン炉、及び、固定床炉から選択される焼却設備で得られた灰であることを特徴とする請求項１に記載のゴム配合物用充填剤。
【請求項５】
前記焼却設備で得られた灰が、流動層ボイラーばいじんであることを特徴とする請求項４に記載のゴム配合物用充填剤。
【手続補正２】
【補正対象書類名】明細書
【補正対象項目名】００１０
【補正方法】変更
【補正の内容】
【００１０】
すなわち、本発明のゴム配合物用充填剤は、廃棄物の焼成物及び、廃棄物の水和水除去物に含まれるカルシウム硫酸塩を含むことを特徴とする。
【手続補正３】
【補正対象書類名】明細書
【補正対象項目名】００１１
【補正方法】削除
【補正の内容】